(57)【要約】【課題】従来の車両用灯具、特に、テール／ストップライトにおいては、同一レンズに対し単に明暗差でテール時か、ストップ時かを告示するものであったので、デザイン的に単調で車両別の個性の発揮が極めて困難であった。【解決手段】テールライトは、双曲面の他方の焦点にテール用ＬＥＤの仮想光源位置が置かれて一方の双曲面の焦点から光を放射する機能を得る全反射キャップと、一方の双曲面の焦点を焦点とする放物面鏡との組合せであり、ストップライトは、放物面鏡の背面にテールライトと同方向とし、前面にフレネルレンズが組合わされて平行光線として光を放射するストップ用ＬＥＤランプとの組合せであり、放物面鏡のストップ用ＬＥＤランプが設けられた位置に対応して透光孔が設けられ、アウターレンズにはそれぞれのランプに適合するレンズカットが施されている車両用灯具として課題を解決する。【選択図】図４
2007123028.tif 000002
【特許請求の範囲】
【請求項１】
テールライトとストップライトとの２つの機能が複合され、アウターレンズで前面が覆われて一体化された車両用灯具において、前記テールライトは、回転双曲面の他方の双曲面の焦点にテール用ＬＥＤランプの仮想光源位置が置かれて一方の双曲面の焦点から光を放射するのと同等の機能を得られるようにされた全反射キャップと、前記一方の双曲面の焦点を焦点とする回転放物面鏡との組合せの複数の集合であり、前記ストップライトは、前記回転放物面鏡の背面に照射方向を前記テールライトと同方向とし、前面にフレネルレンズが組合わされて略平行光線として光を放射するストップ用ＬＥＤランプとの組合せの複数であり、前記回転放物面鏡の前記ストップ用ＬＥＤランプが設けられた位置に対応しては透光孔が設けられ、前記アウターレンズにはそれぞれのランプに適合するレンズカットが施されていることを特徴する車両用灯具。
【発明の詳細な説明】
【技術分野】
【０００１】
本発明は、車両用灯具に係るものであり、詳細には、テール／ストップライトなどと称されて、同色の発光色で明るさを切換えることで、夜間時の自車の存在と、制動装置の操作の状態を後続車などに告知する車両用灯具の構成に係るものである。
【背景技術】
【０００２】
従来の光源を２段重ねとした車両用灯具９０の構成の例を示すものが図５であり、この車両用灯具９０は、ＬＥＤランプ９１と、白熱電球９２とを光源として採用するものであり、前記ＬＥＤランプ９１は帯状のプリント基板９３に取付けられ、インナーレンズ９４をスペーサーとして、アウターレンズ９５に施されたレンズカット９５ａには、例えば１列置きなどとして対峙させられている。
【０００３】
これに対して、白熱電球９２には、この白熱電球９２のフィラメントを焦点とする回転放物面の反射鏡９７が設けられ、点灯時には平行光線をアウターレンズ９５方向に投射するものとされている。そして、夜間の走行状態においては、ＬＥＤランプ９１と白熱電球９２の双方が点灯されるので、アウターレンズ９５の全面が光輝し、例えばテールライトとしての機能を発揮する。
【０００４】
ここで、より寿命が短いとされる白熱電球の側に断線を生じたとしても、ＬＥＤランプ９１側は依然として点灯を継続するので、テールライトとしての機能は失われることがなく、安全性が格段に向上する。また、出願時点では高価であったＬＥＤランプ９１の使用数を減らせるので、コストダウンも可能であるという利点もあった。
【０００５】
尚、このように２つの光源を併用する構成においては、例えば白熱電球９２側を大光量のものとし、制動装置の操作に連動して点滅を行うものとしておけば、制動装置が操作されたときには、アウターレンズ９５は明るく光輝するものとなるので、テール／ストップライトとしての使用も可能であることは云うまでもない。
【特許文献１】実開閉０６−０７９０１３号公報
【発明の開示】
【発明が解決しようとする課題】
【０００６】
しかしながら、近年に到っては、ＬＥＤランプも広く世間に普及し、一部の白色発光のＬＥＤランプなどを除いては、白熱電球に比較しても特にコストの問題を考慮さられることはなく、テール／ストップライトなどにおいても、全ての発光光源としてＬＥＤランプが採用されているのが通常化している。
【０００７】
よって、白熱電球のみでテール／ストップライトを形成していたときと同様に、同一の発光光源を採用した場合には、形状、点灯時の発光状態なども似たようなものと成りやすく、車両毎の個性が演出し難くなってきているというデザイン的な問題点を生じてきており、この点の解決が課題とされている。
【課題を解決するための手段】
【０００８】
本発明は、上記した従来の課題を解決するための具体的手段として、テールライトとストップライトとの２つの機能が複合され、アウターレンズで前面が覆われて一体化された車両用灯具において、前記テールライトは、回転双曲面の他方の双曲面の焦点にテール用ＬＥＤランプの仮想光源位置が置かれて一方の双曲面の焦点から光を放射するのと同等の機能を得られるようにされた全反射キャップと、前記一方の双曲面の焦点を焦点とする回転放物面鏡との組合せの複数の集合であり、前記ストップライトは、前記回転放物面鏡の背面に照射方向を前記テールライトと同方向とし、前面にフレネルレンズが組合わされて略平行光線として光を放射するストップ用ＬＥＤランプとの組合せの複数であり、前記回転放物面鏡の前記ストップ用ＬＥＤランプが設けられた位置に対応しては透光孔が設けられ、前記アウターレンズにはそれぞれのランプに適合するレンズカットが施されていることを特徴する車両用灯具を提供することで、従来にない新規な発光状態を演出できるテール／ストップライトの実現を可能として、課題を解決するものである。
【発明の効果】
【０００９】
本発明の構成とすることで、テールライトとして点灯しているときには全面が均一に光輝しており、制動装置が操作されたときには、例えば、規則的に並ぶ明るい光点がアウターレンズ上に浮き上がるストップライトとしての機能を発揮するなど、全く新しい光り方をするテール／ストップライトとなって、注目度を高め、商品性の向上などに優れた効果を奏することが可能となる。
【発明を実施するための最良の形態】
【００１０】
つぎに、本発明を図に示す実施形態に基づいて詳細に説明する。図１に示すものは、本発明に係る車両用灯具１の正面図であり、図２は図１のＡ−Ａ線に沿う縦断面図、図３は図１のＢ−Ｂ線に沿う横断面図である。そして、この実施形態においてはアウターレンズ２に背面側の面には、例えば縦筋状としたテール用レンズカット２ａが、ほぼ全面に渡り設けられている。尚、図１における、前記テール用レンズカット２ａは一例を示すものであり、これは、横筋状であっても良く、或いは、縦筋と横筋とがクロスする十字状であっても良い。
【００１１】
同時に、前記アウターレンズ２には、例えば、円形状としたストップ用レンズカット２ｂの複数が設けられていて、制動装置（図示せず）が操作されたときには、前記ストップ用レンズカット２ｂが、前記テール用レンズカット２ａに対して規定の倍数の明るさとして光輝し、後続車などに制動装置が操作されていることを告知するものとされている。
【００１２】
次いで、図２に基づいて、テールライト側の作用について説明を行うと、図２にも示すように、この車両用灯具１のＡ−Ａ線に沿う縦断面、即ち、テール用ＬＥＤランプ３を通る縦断面には、全反射キャップ４と、前記全反射キャップ４により生じる双曲線の焦点ｆ２を焦点とする（回転）放物面５ａを形成するハウジング５と、前記に説明したアウターレンズ２とが現れるものとなる。
【００１３】
ここで、図３により双曲線の作用について説明すると、他方の双曲線面Ａ１の焦点ｆ１の位置に置かれた光源（例えば、テール用ＬＥＤランプ３）からの光を、他方の双曲線Ａ１を透明、或いは、取り除いた状態とし、一方の双曲面Ａ２の表面で反射を行わせると、前記一方の双曲線から反射される光は、あたかも一方の双曲面Ａ２の焦点ｆ２から放出されているようになる性質を有する。
【００１４】
よって、テール用ＬＥＤランプ３から放射される光を逆にたどり、ほぼ収束する位置を求めて仮想焦点とし、この仮想焦点を他方の双曲線面Ａ１の焦点ｆ１と一致させ、一方の双曲面の焦点ｆ２を焦点とする放物面５ａとしたハウジング５に反射させれば、ハウジング５からは放物面５ａの軸Ｚに沿う平行光線が得られるものとなる。
【００１５】
尚、この実施形態では前記全反射キャップ４は透明樹脂で形成され、前記テール用ＬＥＤランプ３からの光に屈折を与えることなく導入する導入部４ａと、導入された光が大気との屈折率の差で全反射する双曲面部４ｂと、前記双曲面部４ｂで全反射された光に屈折を生じることなく全反射キャップ４から射出させ、ハウジング５に到達させる出射面部４ｃとから構成されている。
【００１６】
つぎに、図４に基づいてストップライトの構成について説明を行う。まず、図４にも示すように、前記ハウジング５の、前記放物面５ａの背面側には、凹部５ｂが設けられ、この凹部５ｂにストップ用ＬＥＤランプ６の必要数（この実施形態では１２個）が収納されている。
【００１７】
そして、それぞれのストップ用ＬＥＤランプ６の照射方向にはフレネルレンズ７が設けられており、平行光線をアウターレンズ２に向けて放射する。そして、前記アウターレンズ２のストップ用ＬＥＤランプ６からの光が到達する位置にはストップ用レンズカット２ｂが設けられている。
【００１８】
なお、上記したように、ストップ用ＬＥＤランプ６を収納する凹部５ｂは、前記放物面５ａの背面に設けられるものであるので、放物面５ａのストップ用ＬＥＤランプ６に対応する位置には、透光孔５ｃが設けられ、ストップ用ＬＥＤランプ６からの光がレンズ２のストップ用レンズカット２ｂに達することができるようにされている。そして、前記ストップ用レンズカット２ｂはストップライトとしての機能を満足するように発光面積、明るさ、配光特性などが考慮されて設計されている。
【００１９】
以上の構成としたことで、本発明の車両用灯具１は、アウターレンズ２において、テール用レンズカット２ａとストップ用レンズカット２ｂとを兼用する必要がなくなり、それぞれに最適な特性を与えることができるものとなる。また、ストップ用レンズカット２ｂの数、位置、形状などに対しても自由度が高いのでデザイン面での自由度も広く、様々な車両のデザインに整合することができるものとなる。
【産業上の利用可能性】
【００２０】
また、上記の説明からも考えられるように、極めて簡便に明るさの調整、或いは、テール用レンズカット側を利用して拡散光で照明し、スポット用レンズカット側を利用してスポット照明に切換えるなども容易に行えるものとなるので、白色発光ＬＥＤなどを光源とすることで家庭用の照明灯具として使用することも可能である。
【図面の簡単な説明】
【００２１】
【図１】本発明に係る車両用灯具の実施形態を示す正面図である。
【図２】図１のＡ−Ａ線に沿う断面図である。
【図３】双曲線の特性を示す説明図である。
【図４】図１のＢ−Ｂ線に沿う断面図である。
【図５】従来例を示す断面図である。
【符号の説明】
【００２２】
１…車両用灯具
２…アウターレンズ
２ａ…テール用レンズカット
２ｂ…ストップ用レンズカット
３…テール用ＬＥＤランプ
４…全反射キャップ
４ａ…導入部
４ｂ…双曲面部
４ｃ…出射面部
５…ハウジング
５ａ…放物面
５ｂ…凹部
５ｃ…透光孔
６…ストップ用ＬＥＤランプ
７…フレネルレンズ
【図１】
2007123028.tif 000003
【図２】
2007123028.tif 000004
【図３】
2007123028.tif 000005
【図４】
2007123028.tif 000006
【図５】
2007123028.tif 000007